(57)【要約】【課題】ユーザの利便性を向上させること。【解決手段】電子カルテ装置１００は、表示画面において、患者毎に割り当てられた１つのウィンドウ内の複数のパネルに、当該患者の診療情報を表示する表示部１４０と、１つのウィンドウ内の複数のパネルのうち、少なくとも２つのパネル間のドッキングを制御し、表示部１４０を制御して、表示画面上のドッキングされたパネルの表示を制御する制御部１３０と、を具備する。制御部１３０は、表示部１４０に対して、ドッキングされたパネルを、１つのウィンドウの外の領域で表示せずに、１つのウィンドウ内の領域のみで表示させる。【選択図】図１
2018101286.tif 000002
【特許請求の範囲】
【請求項１】
表示画面において、患者毎に割り当てられた１つのウィンドウ内の複数のパネルに、当該患者の診療情報を表示する表示部と、
前記１つのウィンドウ内の前記複数のパネルのうち、少なくとも２つのパネル間のドッキングを制御し、前記表示部を制御して、前記表示画面上にドッキングされた前記パネルを表示させる制御部と、
を具備し、
前記制御部は、前記表示部に対して、前記ドッキングされたパネルを、前記１つのウィンドウの外の領域で表示せずに、前記１つのウィンドウ内の領域のみで表示させる、
電子カルテ装置。
【請求項２】
前記制御部は、前記表示部に対して、複数の患者の各々に割り当てられた前記ウィンドウで、前記複数の患者の診療情報をそれぞれ表示させる、
請求項１に記載の電子カルテ装置。
【請求項３】
前記制御部は、前記１つのウィンドウを閉じた後に再び表示する際、当該１つのウィンドウ内における前記複数のパネルの過去のレイアウトに基づいて、前記表示部に対して、前記複数のパネルを表示させる、
請求項１に記載の電子カルテ装置。
【請求項４】
前記制御部は、前記１つのウィンドウを閉じた後に再び表示する際、予め設定されたレイアウトに基づいて、前記表示部に対して、当該１つのウィンドウ内において前記複数のパネルを表示させる、
請求項１に記載の電子カルテ装置。
【請求項５】
前記制御部は、前記１つのウィンドウ内の前記複数のパネルのレイアウトを保存し、前記保存したレイアウトに基づいて、他の患者に割り当てられた他のウィンドウ内における前記複数のパネルのレイアウトを設定する、
請求項１に記載の電子カルテ装置。
【請求項６】
前記制御部は、前記１つのウィンドウ内の前記複数のパネルの少なくとも１つのパネルをウィンドウに変換し、
前記表示部は、前記変換後のウィンドウを、前記１つのウィンドウの外の領域に表示する、
請求項１に記載の電子カルテ装置。
【請求項７】
表示画面において、患者毎に割り当てられた１つのウィンドウ内の複数のパネルに、当該患者の診療情報を表示し、
前記１つのウィンドウ内の前記複数のパネルのうち、少なくとも２つのパネル間のドッキングを制御し、前記表示画面上のドッキングされた前記パネルの表示を制御し、
前記ドッキングされたパネルを、前記１つのウィンドウの外の領域で表示せずに、前記１つのウィンドウ内の領域のみで表示する、
電子カルテ制御方法。
【発明の詳細な説明】
【技術分野】
【０００１】
本開示は、電子カルテ装置および電子カルテ制御方法に関する。
【背景技術】
【０００２】
近年、医師等が患者の経過、病名および処方等の診療情報（カルテ情報、診療録と呼ぶこともある）の記録を紙への手書きにより行っていた従来のカルテを、電子的なシステムに置き換えた電子カルテシステムが提案されている。
【０００３】
このような電子カルテシステムにおいて、電子カルテ装置は、ウィンドウと呼ばれる作業領域を画面上に複数個表示し、診療情報を表示する必要がある。ここで、複数のウィンドウを表示する従来技術として、ユーザの操作に応じて各ウィンドウの配置（レイアウト）を変更する技術が知られている（例えば、特許文献１を参照）。
【先行技術文献】
【特許文献】
【０００４】
【特許文献１】特許第４８５８３１３号公報
【発明の概要】
【発明が解決しようとする課題】
【０００５】
しかしながら、電子カルテ装置の画面上において複数の患者の各々に対する診療情報を表示する際に複数のウィンドウが表示されると、どの診療情報がどの患者の情報であるかをユーザが判別困難になることもあり、ユーザの利便性を低下させてしまうおそれがある。
【０００６】
本開示の目的は、ユーザの利便性を向上させることができる電子カルテ装置および電子カルテ制御方法を提供することである。
【課題を解決するための手段】
【０００７】
本開示の一態様に係る電子カルテ装置は、表示画面において、患者毎に割り当てられた１つのウィンドウ内の複数のパネルに、当該患者の診療情報を表示する表示部と、前記１つのウィンドウ内の前記複数のパネルのうち、少なくとも２つのパネル間のドッキングを制御し、前記表示部を制御して、前記表示画面上にドッキングされた前記パネルを表示させる制御部と、を具備し、前記制御部は、前記表示部に対して、前記ドッキングされたパネルを、前記１つのウィンドウの外の領域で表示せずに、前記１つのウィンドウ内の領域のみで表示させる。
【０００８】
本開示の一態様に係る電子カルテ制御方法は、表示画面において、患者毎に割り当てられた１つのウィンドウ内の複数のパネルに、当該患者の診療情報を表示し、前記１つのウィンドウ内の前記複数のパネルのうち、少なくとも２つのパネル間のドッキングを制御し、前記表示画面上のドッキングされた前記パネルの表示を制御し、前記ドッキングされたパネルを、前記１つのウィンドウの外の領域で表示せずに、前記１つのウィンドウ内の領域のみで表示する。
【発明の効果】
【０００９】
本開示によれば、ユーザの利便性を向上させることができる。
【図面の簡単な説明】
【００１０】
【図１】本開示の一実施の形態に係る電子カルテ装置の構成例を示すブロック図
【図２】本開示の一実施の形態に係る表示画面の一例を示す図
【図３】本開示の一実施の形態に係る表示画面の一例を示す図
【図４】本開示の一実施の形態に係る表示画面の一例を示す図
【図５】本開示の一実施の形態に係る表示画面の一例を示す図
【図６】本開示の一実施の形態に係る表示画面の一例を示す図
【図７】本開示の一実施の形態に係る表示画面の一例を示す図
【図８】本開示の一実施の形態に係る表示画面の一例を示す図
【図９】本開示の一実施の形態に係る表示画面の一例を示す図
【発明を実施するための形態】
【００１１】
以下、本開示の一実施の形態について、図面を参照して詳細に説明する。
【００１２】
［装置の構成］
まず、本実施の形態に係る電子カルテ装置の構成について説明する。
【００１３】
図１は、本実施の形態に係る電子カルテ装置の構成の一例を示すブロック図である。
【００１４】
なお、電子カルテ装置１００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路等のハードウェアを有する。すなわち、以下に説明する各部の機能は、例えば、パーソナルコンピュータのＣＰＵが、当該コンピュータのメモリに格納された制御プログラムを読み出して実行することにより、実現される。
【００１５】
電子カルテ装置１００が表示画面（以下、「カルテ画面」と呼ぶこともある）に表示する「診療情報」は、医師等が記録の対象とする各種の情報のことである。例えば、診療情報としては、患者の基本情報（氏名、年齢、生年月日、性別、住所など）、患者の診療経過を示す経過情報（主訴、現病歴、既往歴、所見、アセスメント等）、過去または現在の病名を示す病名情報、処方（投薬、検査、処置、手術など）内容を示す処方情報、検査結果、グラフなどを示す検査結果情報等が挙げられる。なお、「診療情報」は、これらの情報に限られるものではなく、他の情報を含んでもよい。
【００１６】
電子カルテ装置１００は、入力された診療情報を、患者毎にまとめて記録する。また、電子カルテ装置１００は、患者毎の診療情報を表示画面上に表示することにより、ユーザに対して診療情報の適宜編集を可能とする。
【００１７】
図１に示す電子カルテ装置１００は、情報格納部１１０、操作入力部１２０、制御部１３０および表示部１４０を有する。
【００１８】
情報格納部１１０は、ユーザから選択または入力された診療情報を一時的に格納するとともに、ユーザから、診療情報を登録する指示を受け付ける。診療情報を登録する指示があった場合、情報格納部１１０は、当該診療情報を患者毎に紐付けて格納する。また、情報格納部１１０は、電子カルテ装置１００のグラフィカルユーザインタフェース（ＧＵＩ）であるカルテ画面を生成するための画像データ、診療情報を構成する入力項目、および、診療情報を所定の書式で表示するための雛形データ等の、各種情報を予め格納している。情報格納部１１０は、後述の制御部１３０からアクセス可能となっている。
【００１９】
操作入力部１２０は、例えば、マウス等のポインティングデバイス、キーボードまたはタッチパネル等の入力デバイスを含み、ユーザから選択操作または文字入力操作等の各種操作を受け付ける。操作入力部１２０は、受け付けた操作の内容を示す操作情報を、制御部１３０へ出力する。
【００２０】
制御部１３０は、上述の画像データに基づいてカルテ画面を生成して表示部１４０へ出力する。制御部１３０は、操作入力部１２０で行われた操作に応じて、カルテ画面に診療情報を表示させる。なお、電子カルテ装置１００におけるカルテ画面上の診療情報の表示方法の詳細については後述する。
【００２１】
また、制御部１３０は、カルテ画面に表示された診療情報に対して登録操作が行われたとき、その診療情報を情報格納部１１０に登録（記録）する。
【００２２】
なお、制御部１３０は、より詳細には、表示制御部１３１およびメモリ制御部１３２を有する。表示制御部１３１は、各画面の表示制御処理を行う。メモリ制御部１３２は、情報格納部１１０への診療情報の登録、および、登録された情報の読み出し等のメモリ制御処理を行う。
【００２３】
表示部１４０は、例えば、液晶ディスプレイ等の画像表示デバイスを含み、制御部１３０により生成されたカルテ画面を表示する。
【００２４】
［診療情報の表示方法］
上述した電子カルテ装置１００におけるカルテ画面上の診療情報の表示方法について説明する。
【００２５】
電子カルテ装置１００は、患者毎に異なる作業領域（以下、「ウィンドウ」と呼ぶ）で診療情報を表示する。さらに、電子カルテ装置１００は、各患者の診療情報を、項目（例えば、基本情報、経過情報、検査情報）毎に異なる作業領域（以下、「パネル」と呼ぶ）で表示する。このように、診療情報の各項目を示す複数のパネルを表示する方法は、複数のウィンドウを同時に表示するＭＤＩ（Multi Document Interface）アプリケーションと同様の表示方法である。
【００２６】
ただし、電子カルテ装置１００の表示部１４０は、表示画面において、患者毎に割り当てられた１つのウィンドウ内の複数のパネルに、当該患者の診療情報を表示する。例えば、電子カルテ装置１００では、患者を識別する固有のＩＤ（患者ＩＤ）に対して１つのウィンドウが設定され、各ウィンドウには、当該ウィンドウに対応する患者ＩＤの患者の診療情報を表示するためのパネルが属している。
【００２７】
また、電子カルテ装置１００の制御部１３０は、１つのウィンドウ内の複数のパネルのうち、少なくとも２つのパネル間のドッキングを制御する。すなわち、電子カルテ装置１００は、１つのウィンドウ内のパネルに対して、当該ウィンドウ内の他のパネルの上下左右の何れかにドッキングさせることを可能とする。例えば、ユーザは、電子カルテ装置１００を操作して、パネル間のドッキング操作を行うことにより、ウィンドウ内のパネルのレイアウト（配置）を自由に設定することができる。
【００２８】
図２は、電子カルテ装置１００（表示部１４０）に表示されるカルテ画面上のウィンドウの一例を示す。具体的には、図２に示すウィンドウ２００は、一人の患者（患者ＩＤ：２９）に割り当てられたウィンドウであり、患者ＩＤ２９の患者の診療情報を表示するウィンドウである。
【００２９】
図２に示すウィンドウ２００には、一例として、患者基本情報を示すパネル２０１、患者の診療内容、処方内容、経過情報（つまり、「カルテ２号紙」）を示すパネル２０２、検査結果を示すパネル２０３、および、パネルの操作メニューを示すパネル２０４が表示されている。なお、ウィンドウ２００に表示される診療情報は、図２に示す情報に限定されるものではない。
【００３０】
パネル２０１には、患者基本情報（つまり、「カルテ１号紙」）として、例えば、患者ＩＤ、患者の氏名（カナ、漢字表記）、生年月日、性別、傷病名、保険情報等が表示される。なお、図２では、患者基本情報を表示するパネル２０１は、ウィンドウ２００内で固定して表示されるものとする。ただし、パネル２０１の表示位置は、図２に示す場合に限定されず、他の位置でもよく、移動可能としてもよい。
【００３１】
パネル２０２には、カルテ２号紙の情報として、例えば、経過情報（主訴・現病歴、体温、血圧、脈拍、医師の所見、アセスメント等）および処方・処置情報（図２では「院外処方」）が表示される（例えば、図３を参照）。例えば、図３に示すように、パネル２０２には、2015年6月17日に作成された患者のカルテ２号紙の情報（経過情報及び院外処方）が表示されている。なお、図示しないが、ウィンドウ２００内には、複数のカルテ２号紙のパネル２０２を表示してもよい。例えば、ユーザは、過去のカルテ２号紙を示すパネル２０２と、現在のカルテ２号紙のパネル２０２とを並べて表示して、患者の状況を比較することができる。
【００３２】
パネル２０３には、検査結果として、例えば、検査項目毎に、結果値（単位を含む）、形態、基準値（下限（L）、上限（H））、結果値と基準値との比較結果（判定）、コメント等が表示される。なお、パネル２０３には、検査結果として、検査結果のグラフ、レントゲン図等が表示されてもよい（図示せず）。
【００３３】
パネル２０４には、パネル操作メニューの一覧が表示される。例えば、パネル２０４には、カルテ２号紙を表示するパネル２０２を新規に生成するためのボタン（「カルテ２号紙」）、患者の診療情報のうちの病名を入力するためのボタン（「病名入力」）、患者の検査結果を表示するパネル２０３を新規に生成するためのボタン（「検査結果」）等が含まれてもよい。なお、パネル２０４のメニュー一覧に表示されるボタンは、これらに限定されない。
【００３４】
また、図２は、ユーザがパネル２０２に対してドラッグ操作を行っている状態（つまり、パネル２０２を移動させている状態）を示している。
【００３５】
図２に示すように、ユーザがパネル２０２に対してドラッグ操作を行っている状態では、電子カルテ装置１００は、ウィンドウ２００内に、パネル２０２をドッキングする場所を示すオブジェクト２１１、２１２を表示する。また、ドラッグ操作が終了（ドロップ）すると、電子カルテ装置１００は、オブジェクト２１１，２１２の表示を終了する。
【００３６】
オブジェクト２１１は、ユーザに対して、ドラッグ操作の対象となるパネル２０２を他のパネルにドッキングさせる状態であることを通知するオブジェクトである。オブジェクト２１１は、例えば、ユーザがドラッグ操作の対象となるパネル２０２の表示位置に応じた位置に表示される（例えば、図２又は図８を参照）。また、例えば、オブジェクト２１１は、後述するドッキング可能な他の場所を示すオブジェクト２１２Ａ〜２１２Ｄと同様のイメージ（２１１Ａ，２１１Ｂ，２１１Ｃ，２１１Ｄ）を含んでもよい。また、オブジェクト２１１は、パネル２０２と他のパネルとをタブ化させること、または、ウィンドウ２００内のパネル２０２が移動可能な領域（図２では、ウィンドウ２００内のパネル２０１が配置された領域以外の領域。ドッキング可能領域と呼ぶ）のうち、他のパネル２０２が配置されていない領域へドッキングさせることを示すイメージ２１１Ｅを含んでもよい。
【００３７】
ドッキング可能領域のうち、何れのオブジェクト２１１、２１２にも重ならない位置においてユーザがパネル２０２のドラッグ操作を終了した場合（図示せず）、電子カルテ装置１００は、パネル２０２をドッキングせずに、現在のサイズを維持してパネル２０２を表示する。
【００３８】
一方、図２では、ドッキング可能領域のうち、パネル２０３、２０４が配置された領域以外の領域（図２では、ドッキング可能領域の中央）であって、オブジェクト２１１の位置と一部または全てと重なった位置においてユーザがパネル２０２のドラッグ操作を終了した場合、電子カルテ装置１００は、ドッキング可能領域の中央にパネル２０２をドッキングする。
【００３９】
図３は、ドッキング可能領域の中央にパネル２０２がドッキングされた場合のウィンドウ２００の表示例を示す。図３では、電子カルテ装置１００は、パネル２０２をドッキング可能領域の中央にドッキングし、パネル２０２を、ドッキング可能領域のうち、他のパネル２０３，２０４が表示された領域以外の全ての領域に表示する。すなわち、図３では、ドッキング対象ではない他のパネル２０３、２０４の領域は、パネル２０２のドッキング前後において不変である。
【００４０】
図２に示すオブジェクト２１２Ａは、ウィンドウ２００内のドッキング可能領域の上端にパネル２０２がドッキングされることを示すオブジェクトである。オブジェクト２１２Ａは、例えば、ドッキング可能領域の上端付近に表示される。電子カルテ装置１００は、ユーザのドラッグ操作によって、パネル２０２の位置がオブジェクト２１２Ａの位置と一部または全てが重なった場合、ドッキング可能領域の上端において、ドッキング対象のパネル２０２と、ドッキング可能領域の上端に接しているパネル２０１とをドッキングする。
【００４１】
図４および図５は、ドッキング可能領域の上端でパネル２０１とパネル２０２とがドッキングされた場合のウィンドウ２００の表示例を示す。
【００４２】
図４では、電子カルテ装置１００は、パネル２０１の幅方向の辺（下辺）の全てに対向するようにパネル２０２をドッキングする。すなわち、ドッキング後のパネル２０２は、パネル２０１と同一の幅を有する。なお、ドッキング後のパネル２０２の高さは、ドッキング前の高さ（図２）と同一の高さでもよく、予め設定された高さでもよい。また、図４では、電子カルテ装置１００は、ドッキング後のパネル２０２の表示領域がドッキング対象ではない他のパネル２０３、２０４の表示領域と重複する場合、当該他のパネル２０３，２０４の表示領域を、重複部分以外の領域に縮小して表示する。
【００４３】
図５では、電子カルテ装置１００は、パネル２０１とパネル２０２とをドッキングし、パネル２０２を、他のパネル２０３，２０４の表示領域以外の領域において表示可能な幅で表示する。なお、ドッキング後のパネル２０２の高さは、ドッキング前の高さ（図２）と同一の高さでもよく、予め設定された高さでもよい。すなわち、図５では、ドッキング対象ではない他のパネル２０３、２０４の領域は、パネル２０２のドッキング前後において不変である。
【００４４】
電子カルテ装置１００は、図４及び図５の何れか１つのドッキング方法を適用してもよく、ユーザが選択したドッキング方法を適用してもよい。
【００４５】
次に、図２に示すオブジェクト２１２Ｂは、ウィンドウ２００内のドッキング可能領域の右端にパネル２０２がドッキングされることを示すオブジェクトである。オブジェクト２１２Ｂは、例えば、ドッキング可能領域の右端付近に表示される。電子カルテ装置１００は、ユーザのドラッグ操作によって、パネル２０２の位置がオブジェクト２１２Ｂの位置と一部または全てが重なった場合、ドッキング可能領域の右端において、ドッキング対象のパネル２０２と、ドッキング可能領域の右端に既に表示されているパネル２０４とをドッキングする。
【００４６】
図６は、ドッキング可能領域の右端でパネル２０２とパネル２０４とがドッキングされた場合のウィンドウ２００の表示例を示す。図６では、電子カルテ装置１００は、パネル２０２の右辺と、パネル２０４の左辺とが接するように、パネル２０２とパネル２０３とをドッキングする。すなわち、パネル２０２の高さは、パネル２０２の高さと同一の高さに調整される。
【００４７】
なお、図６では、ドッキング後のパネル２０２の幅は、ドッキング前のパネル２０４の幅と同一の幅に変更されてもよく、予め設定された幅に変更されてもよく、ドッキング前の幅が維持されてもよい。また、図６では、パネル２０２とパネル２０４とがウィンドウ２００の幅方向（左右方向）に並ぶようにドッキングされる場合について説明したが、ドッキングの方法はこれに限定されず、例えば、後述するように高さ方向（上下方向）に並ぶようにドッキングされてもよい（例えば、図７を参照）。
【００４８】
次に、図２に示すオブジェクト２１２Ｃは、ウィンドウ２００内のドッキング可能領域の下端にパネル２０２がドッキングされることを示すオブジェクトである。オブジェクト２１２Ｃは、例えば、ドッキング可能領域の下端付近に表示される。電子カルテ装置１００は、ユーザのドラッグ操作によって、パネル２０２の位置がオブジェクト２１２Ｂの位置と一部または全てが重なった場合、ドッキング可能領域の下端において、ドッキング対象のパネル２０２と、ドッキング可能領域の下端に既に表示されているパネルとをドッキングする。なお、図２では、ウィンドウ２００のドッキング可能領域の下端に、パネル２０２がドッキング可能な他のパネルは存在しないので、パネル２０２に対するドッキング処理は行われない。
【００４９】
次に、図２に示すオブジェクト２１２Ｄは、ウィンドウ２００内のドッキング可能領域の左端にパネル２０２がドッキングされることを示すオブジェクトである。オブジェクト２１２Ｄは、例えば、ドッキング可能領域の左端付近に表示される。電子カルテ装置１００は、ユーザのドラッグ操作によって、パネル２０２の位置がオブジェクト２１２Ｄの位置と一部または全てが重なった場合、ドッキング可能領域の左端において、ドッキング対象のパネル２０２と、ドッキング可能領域の左端に既に表示されているパネル２０３とをドッキングする。
【００５０】
図７は、ドッキング可能領域の左端でパネル２０２とパネル２０３とがドッキングされた場合のウィンドウ２００の表示例を示す。図７では、電子カルテ装置１００は、パネル２０２の上辺と、パネル２０３の下辺とが接するように、パネル２０２とパネル２０３とをドッキングする。
【００５１】
なお、図７において、ドッキング後のパネル２０２，２０３の高さは、予め設定された高さでもよい。また、ドッキング後のパネル２０２，２０３の幅は、パネル２０２，２０３の何れか一方の幅と同一の幅でもよく、予め設定された幅でもよい。また、図７では、パネル２０２とパネル２０３とがウィンドウ２００の高さ方向（上下方向）に並ぶようにドッキングされる場合について説明したが、ドッキングの方法はこれに限定されず、例えば、図６に示すように幅方向（左右方向）に並ぶようにドッキングされてもよい。
【００５２】
以上、図２において、パネル２０２をオブジェクト２１２Ａ〜２１２Ｄの何れかに重ねてユーザがドラッグ操作を終了することによって電子カルテ装置１００がドッキングを実行する方法について説明した。しかし、ドッキングの方法はこれに限定されず、例えば、オブジェクト２１１に含まれるイメージ２１１Ａ〜２１１Ｄ（それぞれオブジェクト２１２Ａ〜２１２Ｄに対応）の何れかにパネル２０２（例えば、パネル２０２のドラッグ操作を示すカーソル）を重ねてユーザがドラッグ操作を終了することによって、電子カルテ装置１００がドッキングを実行してもよい。これにより、ユーザは、パネル２０２をウィンドウ２００の端付近に表示されるオブジェクト２１２Ａ〜２１２Ｄまで移動させることなく、同様のドッキングを行うことができる。
【００５３】
または、電子カルテ装置１００は、パネル２０２をオブジェクト２１２Ａ〜２１２Ｄの何れかに重ねてユーザがドラッグ操作を終了した場合、ドッキング可能領域の全体（図２では、ウィンドウ２００内のパネル２０１の領域以外の領域）に対してドッキングを実行し、パネル２０２をイメージ２１１Ａ〜２１１Ｄの何れかに重ねてユーザがドラッグ操作を終了した場合、ドッキング可能領域のうち、パネルが表示されていない領域（図２では、ウィンドウ２００内のパネル２０１、２０３、２０４の領域以外の領域）に対してドッキングを実行してもよい。例えば、図２において、電子カルテ装置１００は、パネル２０２に対するドラッグ操作がオブジェクト２１２Ａ上で終了した場合、図４に示すように、パネル２０１の横幅と同様になるように、パネル２０２をドッキングし、パネル２０２に対するドラッグ操作がイメージ２１１Ａ上で終了した場合、図５に示すように、パネル２０１の横幅からパネル２０３、２０４の横幅を差し引いた幅になるように、パネル２０２をドッキングしてもよい。
【００５４】
次に、図２において、パネル２０２と他のパネルとをタブ化させる場合について説明する。図８および図９は、タブ化処理の一例を示す。
【００５５】
なお、図８は、一例として、ユーザが図８に示すパネル２０２に対してドラッグ操作を行い、パネル２０２（またはカーソル）がパネル２０３上に位置している状態を示している。つまり、図８では、オブジェクト２１１は、ドラッグ操作対象のパネル２０２のドッキング対象となるパネル上（例えば、中央付近）に表示されている。また、図８では、オブジェクト２１２Ａ〜２１２Ｄは、図２と同様の位置に表示されている。なお、オブジェクト２１１は、ドラッグ操作対象のパネル２０２（またはカーソル）がドッキング対象となるパネルが存在しない領域に位置する場合、ウィンドウ２００の中央付近に表示されてもよい（例えば、図２を参照）。
【００５６】
例えば、図８に示すように、電子カルテ装置１００は、ユーザのドラッグ操作によって、ドッキング対象のパネル２０２の位置がドッキングされる他方のパネル２０３の位置（ただし、オブジェクト２１２Ｂと重ならない位置）と一部または全てが重なった場合、図９に示すように、パネル２０２とパネル２０３とをタブ化して、タブ化後のパネル２０５を表示する。図９では、タブ２０２ａが選択された状態であり、電子カルテ装置１００は、パネル２０２に相当する内容（カルテ２号紙）を表示している。同様に、タブ２０３ａが選択された状態では、電子カルテ装置１００は、パネル２０３に相当する内容（検査結果）を表示する（図示せず）。
【００５７】
以上、ウィンドウ２００内でのパネルのドッキング方法について説明した。このように、電子カルテ装置１００の制御部１３０は、１つのウィンドウ２００内の複数のパネルのうち、少なくとも２つのパネル間のドッキングを制御する。
【００５８】
ユーザは、電子カルテ装置１００を操作することにより、上述したドッキング方法に従って、ウィンドウ２００内のパネルのレイアウトを自由に変更することができる。電子カルテ装置１００の制御部１３０は、表示部１４０に対して、表示されるカルテ画面上に、複数の患者の各々に割り当てられたウィンドウ２００で、複数の患者の診療情報をそれぞれ表示させてもよい。これにより、ユーザは、複数の患者の診療情報を同時に閲覧することができる。
【００５９】
ただし、電子カルテ装置１００は、一人の患者に対応するウィンドウ２００内の複数のパネルがドッキングしたパネル（ドッキングパネル）、または、複数のパネルがタブ化されたパネル（タブ化パネル）が当該ウィンドウ２００の領域外にはみ出して表示されないように制御する。すなわち、電子カルテ装置１００の制御部１３０は、表示部１４０を制御して、ドッキングパネルを、１つのウィンドウ２００の外の領域で表示せずに、１つのウィンドウ２００内の領域のみで表示させる。
【００６０】
これにより、電子カルテ装置１００は、一人の患者の診療情報を示すパネルを、複数のウィンドウに跨がって表示しない。つまり、電子カルテ装置１００は、複数の患者の診療情報を同時に表示する場合でも、患者毎の診療情報を、各患者に対応するウィンドウ２００単位でそれぞれ表示する。これにより、ユーザは、複数の患者の診療情報を同時に閲覧する場合でも、各患者の診療情報を明確に区別でき、患者間で診療情報を混同してしまうことを防ぐことができる。
【００６１】
以上、説明したように、本実施の形態では、電子カルテ装置１００は、表示画面において、患者毎に割り当てられた１つのウィンドウ２００内の複数のパネルに、当該患者の診療情報を表示する表示部１４０と、１つのウィンドウ２００内の複数のパネルのうち、少なくとも２つのパネル間のドッキングを制御し、表示画面上のドッキングされたパネルの表示を制御する制御部１３０と、を具備する。また、電子カルテ装置１００において、表示部１４０は、ドッキングされたパネルを、１つのウィンドウ２００の外の領域で表示せずに、１つのウィンドウ２００内の領域のみで表示する。
【００６２】
これにより、ユーザは、患者毎の診療情報をウィンドウ２００単位で区別しつつ、かつ、各患者の診療情報を表示する複数のパネルを、当該患者のウィンドウ２００内において閲覧しやすいように自由にレイアウトを変更することができる。よって、本実施の形態によれば、ユーザの利便性を向上させることができる。
【００６３】
＜他の実施の形態＞
（１）上記実施の形態において、ウィンドウ２００内に表示されるパネルの内容、および、パネル数は、図２に示す例に限定されず、他の情報を表示するパネルでもよい。また、ドッキングされる複数のパネルのドッキング後の表示領域は、上述した図３〜図９に限定されず、他の表示領域が設定されてもよい。
【００６４】
（２）電子カルテ装置１００は、設定したウィンドウ２００内の複数のパネルのレイアウトを保存してもよい。そして、電子カルテ装置１００は、保存したレイアウトを任意のタイミングで読み出すことにより、ユーザが好むレイアウトを現在表示されているウィンドウ２００内のパネルに適用してもよい。
【００６５】
また、電子カルテ装置１００は、或る患者に割り当てられた１つのウィンドウ２００において保存したパネルのレイアウトを、他の患者に割り当てられた他のウィンドウ２００
内のパネルのレイアウトとして設定してもよい。こうすることで、電子カルテ装置１００は、複数の患者に対応するウィンドウ２００に対して同一のレイアウトを設定することができ、複数の患者のウィンドウ２００の表示状態を同期させることができる。
【００６６】
これにより、例えば、ユーザが、複数の患者の診療情報を同時に閲覧する場合等において、複数の患者の診療情報を対比しやすくなり、ユーザの利便性をさらに向上させることができる。
【００６７】
（３）電子カルテ装置１００の制御部１３０は、ウィンドウ２００を一旦閉じた後に再び表示する際、当該ウィンドウ２００における、閉じる直前のパネルのレイアウトを設定してもよく、予め決められたレイアウトを設定してもよく、または、過去に保存したレイアウトを読み出して設定してもよい。そして、制御部１３０は、設定したレイアウトに基づいて、表示部１４０に対して、ウィンドウ２００内の複数のパネルを表示させる。これにより、各患者のウィンドウ２００を新たに表示する度にユーザがウィンドウ２００内のパネルのレイアウトを再設定する必要がなくなる。
【００６８】
（４）電子カルテ装置１００は、ウィンドウ２００内のパネルを、当該ウィンドウ２００の表示領域外に表示するような設定変更を可能としてもよい。
【００６９】
具体的には、電子カルテ装置１００は、１つのウィンドウ２００内の複数のパネルのうち、少なくとも１つのパネルを新たなウィンドウに変換してもよい。電子カルテ装置１００は、変換後のウィンドウを、変換前にパネルとして属していたウィンドウ２００と独立したウィンドウとして扱う。これにより、電子カルテ装置１００は、変換後のウィンドウに表示される診療情報を、元のウィンドウ２００の領域外で表示することができる。
【００７０】
これにより、ユーザは、各患者の診療情報の表示（レイアウト）をより自由に変更することができる。例えば、電子カルテ装置１００は、複数のパネルのうち、ウィンドウ２００の表示領域外に表示可能となるパネルを予め設定してもよく、ユーザの選択によって設定してもよい。
【００７１】
また、電子カルテ装置１００は、ウィンドウとして表示されている診療情報を、他のウィンドウに属するパネルに変換してもよい。
【００７２】
（５）電子カルテ装置１００が適用されるデバイスは、上述の例に限定されない。電子カルテ装置１００は、例えば、タッチパネル付きディスプレイを備えたタブレット型端末に適用されてもよい。
【００７３】
また、電子カルテ装置１００の構成の一部は、電子カルテ装置１００の構成の他の部分と物理的に離隔していてもよい。この場合、それらの構成は、互いに通信を行うための通信部をそれぞれ備える必要がある。すなわち、電子カルテ装置１００は、クラウドコンピューティングにより実現されてもよい。すなわち、サーバ装置（図示せず）が情報格納部１１０を備え、電子カルテ装置１００は、ネットワーク（例えば、ＬＡＮ（Local Area Network）またはインターネット等）を介してサーバ装置に接続し、診療情報を取得してもよい。
【００７４】
また、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００７５】
＜本開示のまとめ＞
本開示の電子カルテ装置は、表示画面において、患者毎に割り当てられた１つのウィンドウ内の複数のパネルに、当該患者の診療情報を表示する表示部と、前記１つのウィンドウ内の前記複数のパネルのうち、少なくとも２つのパネル間のドッキングを制御し、前記表示部を制御して、前記表示画面上にドッキングされた前記パネルを表示させる制御部と、を具備し、前記制御部は、前記表示部に対して、前記ドッキングされたパネルを、前記１つのウィンドウの外の領域で表示せずに、前記１つのウィンドウ内の領域のみで表示させる。
【００７６】
本開示の電子カルテ装置において、前記制御部は、前記表示部に対して、複数の患者の各々に割り当てられた前記ウィンドウで、前記複数の患者の診療情報をそれぞれ表示させる。
【００７７】
本開示の電子カルテ装置において、前記制御部は、前記１つのウィンドウを閉じた後に再び表示する際、当該１つのウィンドウ内における前記複数のパネルの過去のレイアウトに基づいて、前記表示部に対して、前記複数のパネルを表示させる。
【００７８】
本開示の電子カルテ装置において、前記制御部は、前記１つのウィンドウを閉じた後に再び表示する際、予め設定されたレイアウトに基づいて、前記表示部に対して、当該１つのウィンドウ内において前記複数のパネルを表示させる。
【００７９】
本開示の電子カルテ装置において、前記制御部は、前記１つのウィンドウ内の前記複数のパネルのレイアウトを保存し、前記保存したレイアウトに基づいて、他の患者に割り当てられた他のウィンドウ内における前記複数のパネルのレイアウトを設定する。
【００８０】
本開示の電子カルテ装置において、前記制御部は、前記１つのウィンドウ内の前記複数のパネルの少なくとも１つのパネルをウィンドウに変換し、前記表示部は、前記変換後のウィンドウを、前記１つのウィンドウの外の領域に表示する。
【００８１】
本開示の電子カルテ制御方法は、表示画面において、患者毎に割り当てられた１つのウィンドウ内の複数のパネルに、当該患者の診療情報を表示し、前記１つのウィンドウ内の前記複数のパネルのうち、少なくとも２つのパネル間のドッキングを制御し、前記表示画面上のドッキングされた前記パネルの表示を制御し、前記ドッキングされたパネルを、前記１つのウィンドウの外の領域で表示せずに、前記１つのウィンドウ内の領域のみで表示する。
【産業上の利用可能性】
【００８２】
本開示の一態様は、診療情報を表示する電子カルテ装置および電子カルテ制御方法として有用である。
【符号の説明】
【００８３】
１００  電子カルテ装置
１１０  情報格納部
１２０  操作入力部
１３０  制御部
１３１  表示制御部
１３２  メモリ制御部
１４０  表示部
【図１】
2018101286.tif 000003
【図２】
2018101286.tif 000004
【図３】
2018101286.tif 000005
【図４】
2018101286.tif 000006
【図５】
2018101286.tif 000007
【図６】
2018101286.tif 000008
【図７】
2018101286.tif 000009
【図８】
2018101286.tif 000010
【図９】
2018101286.tif 000011